(57)【特許請求の範囲】
【請求項１】
縦方向に腹側領域および背側領域と、それらの間に位置する股下領域とを備え、前記腹側領域と前記背側領域とに亘って吸収体を有し、該吸収体の縦方向の前後端部それぞれから外方に位置して横方向に延びる腹側ウエストフラップ及び背側ウエストフラップを有する使い捨ておむつであって、
少なくとも前記背側ウエストフラップは、肌対向面側に位置する内層シートと非肌対向面側に位置する外層シートとが分散配置された複数の接合部で接合されており、
前記内層シートは疎水性の繊維で構成された疎水性の不織布であり、前記外層シートは親水性の繊維で構成された親水性の不織布であり、
前記接合部の周囲部では、前記外層シートを構成する親水性の繊維どうしの隙間に前記内層シートを構成する疎水性の繊維が入り込み、該内層シートを構成する疎水性の繊維どうしの隙間に該外層シートを構成する親水性の繊維が入り込んでおり、該外層シートを構成する親水性の繊維が該内層シートの肌対向面に達しており、
前記内層シートの肌対向面側には、親水性の繊維で構成された親水性の不織布である肌側シートが配されており、
前記接合部の前記周囲部では、前記外層シートを構成する親水性の繊維と前記肌側シートを構成する親水性の繊維とが接している使い捨ておむつ。
【請求項２】
前記接合部及び該接合部の周囲部を除く部分において、前記内層シートは、その厚みが０．１１ｍｍ以上である請求項１に記載の使い捨ておむつ。
【請求項３】
前記外層シートを構成する親水性の繊維とイオン交換水との接触角は、前記肌側シートを構成する親水性の繊維とイオン交換水との接触角よりも小さい請求項１又は２に記載の使い捨ておむつ。
【請求項４】
前記外層シートのクレム吸水高さは、前記肌側シートのクレム吸水高さよりも大きい請求項１〜３の何れか１項に記載の使い捨ておむつ。
【請求項５】
前記接合部及び該接合部の周囲部を除く部分において、前記外層シートの繊維間距離は、前記肌側シートの繊維間距離よりも小さい請求項１〜４の何れか１項に記載の使い捨ておむつ。
【請求項６】
前記外層シートと前記内層シートとの間、或いは前記肌側シートと前記内層シートとの間には、前記使い捨ておむつの横方向に伸長した状態で、該使い捨ておむつの縦方向に間欠的に配された複数の弾性部材を有している請求項１〜５の何れか１項に記載の使い捨ておむつ。
【請求項７】
前記接合部は、該接合部一つの周囲の長さが２ｍｍ以上２０ｍｍ以下である請求項１〜６の何れか１項に記載の使い捨ておむつ。
【請求項８】
前記接合部には、該接合部内に前記外層シートおよび前記内層シートを貫通する孔が形成されている請求項１〜７の何れか１項に記載の使い捨ておむつ。
【請求項９】
前記接合部で、前記外層シート、前記内層シート及び前記肌側シートが接合されており、
前記接合部の周囲部では、前記内層シートを構成する疎水性の繊維どうしの隙間に前記外層シートを構成する親水性の繊維が入り込んでおり、かつ、前記肌側シートを構成する親水性の繊維どうしの隙間に該内層シートを構成する疎水性の繊維が入り込んでおり、該外層シートを構成する親水性の繊維と該内層シートを構成する疎水性の繊維とが、共に該肌側シートを構成する親水性の繊維と接している請求項１に記載の使い捨ておむつ。
【発明の詳細な説明】
【技術分野】
【０００１】
本発明は、使い捨ておむつに関する。
【背景技術】
【０００２】
使い捨ておむつには、吸収体を備えた縦長の吸収性本体の外側に外装体が配されている。外装体を構成するシートに、疎水性の不織布を用いると、汗を吸収し難い為、肌に触れる側に親水性の不織布を用いて、汗の吸汗性を向上させる技術が提案されている（例えば、特許文献１〜特許文献４）。
【０００３】
特許文献１には、第１表面層、それとは反対側の第２表面層、それらの間の中間層を有する吸汗性シートを備え、第１表面層及び第２表面層それぞれが、疎水性繊維と親水性繊維とを混合して形成され、中間層が、親水性繊維で形成されている使い捨ておむつが開示されている。
【０００４】
また、特許文献２には、肌に当接する側の内層とその反対側の外層とからなる吸汗性シートを備え、内層が、疎水性繊維と親水性繊維とを混合して形成され、外層が、５０〜１００重量％の親水性繊維を含んで形成されている使い捨ておむつが開示されている。
【０００５】
また、特許文献３には、内側親水性シートと、その非肌当接面側に配される外側親水性シートとを有する親水性シートがウエストフラップに配された使い捨ておむつが開示されている。
【０００６】
また、特許文献４には、サイドフラップの内側疎水性シートと、その非肌側当接面に配される外側親水性シートとが熱融着部によって固着され、その熱融着部がそれぞれ繊維形態を維持した複合シートである使い捨ておむつが開示されている。
【０００７】
特許文献１〜４に記載の使い捨ておむつによれば、着用中の汗を吸収することができる。特に、特許文献３に記載の使い捨ておむつによれば、汗の拡散性が向上し、また、特許文献４に記載の使い捨ておむつによれば、吸収された汗が蒸発しやすく使用中の不快感がない。
【先行技術文献】
【特許文献】
【０００８】
【特許文献１】特開２００７−３０１３４６号公報
【特許文献２】特開２００１−３２７５３４号公報
【特許文献３】特開２０１０−２４６９０１号公報
【特許文献４】特開２００３−９６４５０号広報
【発明の概要】
【発明が解決しようとする課題】
【０００９】
しかし、特許文献１〜３に記載の使い捨ておむつの備える、所謂吸汗性シートは、その構成シートの全てが、親水性繊維の混在したシートであるため、汗を吸収した構成シートが着用者の肌と長時間接触する場合があり、湿疹、汗疹、かぶれ等の皮膚トラブルを防止することができず、更なる改良の余地があった。
【００１０】
また、特許文献４に記載の使い捨ておむつの備える所謂複合シートは、肌側が疎水性シートでありながら液を吸収する繊維構造を維持した熱融着部を作成することが難しく、安定的に工業的に生産することが困難であった。
【００１１】
したがって本発明は、前述した従来技術が有する欠点を解消し得るパンツ型使い捨ておむつを提供することにある。
【課題を解決するための手段】
【００１２】
本発明は、縦方向に腹側領域および背側領域と、それらの間に位置する股下領域とを備え、前記腹側領域と前記背側領域とに亘って吸収体を有し、該吸収体の縦方向の前後端部それぞれから外方に位置して横方向に延びる腹側ウエストフラップ及び背側ウエストフラップを有する使い捨ておむつであって、少なくとも前記背側ウエストフラップは、肌対向面側に位置する内層シートと非肌対向面側に位置する外層シートとが分散配置された複数の接合部で接合されており、前記内層シートは疎水性の繊維で構成された疎水性の不織布であり、前記外層シートは親水性の繊維で構成された親水性の不織布であり、前記接合部の周囲部では、前記外層シートを構成する親水性の繊維どうしの隙間に前記内層シートを構成する疎水性の繊維が入り込み、該内層シートを構成する疎水性の繊維どうしの隙間に該外層シートを構成する親水性の繊維が入り込んでおり、該外層シートを構成する親水性の繊維が該内層シートの肌対向面に達している使い捨ておむつを提供するものである。
【発明の効果】
【００１３】
本発明によれば、吸収した汗を素早く非肌対向面側に移行させ、かつ肌への汗戻りのないことで、湿疹、汗疹、かぶれ等の皮膚トラブルを低減することができる。
【図面の簡単な説明】
【００１４】
【図１】図１は、本発明の一実施形態であるパンツ型使い捨ておむつの斜視図である。
【図２】図２は、図１に示すおむつを展開して引き伸ばした状態を肌当接面側から視た展開平面図である。
【図３】図３は、図２に示すＩＩＩ―ＩＩＩ線断面図である。
【図４】図４は、図１に示すおむつにおけるウエスト伸縮部の横方向(Ｙ方向)に沿う断面を示す拡大断面図である。
【図５】図５は、別の実施形態のおむつの外装体における接合部を含む部分の断面を示す拡大断面図である（図３相当図）。
【図６】図６は、さらに別の実施形態のおむつの外装体における接合部を含む部分の断面を示す拡大断面図である（図３相当図）。
【発明を実施するための形態】
【００１５】
以下、本発明をその好ましい実施形態に基づき図面を参照しながら説明する。
本発明の使い捨ておむつは、縦方向Ｘに腹側領域Ａおよび背側領域Ｂと、それらＡ，Ｂの間に位置する股下領域Ｃとを備え、腹側領域Ａと背側領域Ｂとに亘って吸収体２３を有し、吸収体２３の縦方向Ｘの前後端部２３Ａ，２３Ｂそれぞれから外方に位置して横方向Ｙに延びる腹側ウエストフラップＦＡ及び背側ウエストフラップＦＢを有している。ここで、腹側領域Ａとは使い捨ておむつの着用時に着用者の腹側に配される領域であり、背側領域Ｂとは使い捨ておむつの着用時に着用者の背側に配される領域である。そして、腹側ウエストフラップＦＡとは、吸収体２３の縦方向Ｘの腹側領域Ａ側の前端部２３Ａの端縁から縦方向Ｘ外方に位置して横方向Ｙに延びる領域と、吸収体２３の縦方向Ｘの腹側領域Ａ側の前端部２３Ａから横方向Ｙに延びる領域とを合わせた領域を意味する。また、背側ウエストフラップＦＢとは、吸収体２３の縦方向Ｘの背側領域Ｂ側の後端部２３Ｂの端縁から縦方向Ｘ外方に位置して横方向Ｙに延びる領域と、吸収体２３の縦方向Ｘの背側領域Ｂ側の後端部２３Ｂから横方向Ｙに延びる領域とを合わせた領域を意味する。
【００１６】
図１及び図２には、本発明の使い捨ておむつの一実施形態であるパンツ型使い捨ておむつ１（以下、「おむつ１」ともいう。）が示されている。おむつ１は、図１及び図２に示すとおり、吸収性本体２と、吸収性本体２の非肌当接面側に配されて該吸収性本体２を固定する外装体３とを備え、外装体３は、吸収性本体２を構成する吸収体２３の縦方向Ｘの前後端部２３Ａ，２３Ｂから外方に位置して横方向Ｙに延びる腹側ウエストフラップＦＡ及び背側ウエストフラップＦＢを有している。おむつ１は、外装体３の腹側領域Ａの左右両側縁部３ａ１，３ａ１と外装体３の背側領域Ｂの左右両側縁部３ｂ１，３ｂ１とが接合されて一対のサイドシール部Ｓ，Ｓ、ウエスト開口部ＷＯ及び一対のレッグ開口部ＬＯ，ＬＯが形成されている使い捨ておむつである。好適に、おむつ１の外装体３は、図２に示す、展開させかつ伸長させた状態を平面視して、着用時に着用者の腹側に配される腹側領域Ａ、着用時に着用者の背側に配される背側領域Ｂ、及び腹側領域Ａと背側領域Ｂとの間の股下領域Ｃに区分されている。
【００１７】
上述したおむつ１を展開させかつ伸長させた状態とは、図２に示すように、サイドシール部Ｓを引き剥がして、おむつ１を展開状態とし、その展開状態のおむつ１を、各部の弾性部材を伸長させて、設計寸法（弾性部材の影響を一切排除した状態で平面状に広げたときの寸法と同じ）となるまで広げた状態を意味する。
【００１８】
本明細書において、「肌対向面」とは、おむつ１又はその構成部材（例えば吸収性本体２）における、着用時に着用者の肌側に向けられる面であり、「非肌対向面」とは、おむつ１又はその構成部材における、着用時に着用者の肌側とは反対側（着衣側）に向けられる面である。おむつ１において、縦方向（Ｘ方向）とは、平面に展開させかつ伸長させた状態で、腹側領域Ａから背側領域Ｂにわたる方向のことである。また、横方向（Ｙ方向）とは、縦方向（Ｘ方向）と直交する方向であり、平面に展開させかつ伸長させた状態のおむつ１の幅方向のことである。
また、おむつ１は、図２に示す、縦方向（Ｘ方向）に延びる縦中心線ＣＬ１に対して左右対称形となっている。尚、図２中のＣＬ２は、おむつ１を二分する横方向（Ｙ方向）に延びる横中心線であり、縦中心線ＣＬ１に直交している。
【００１９】
おむつ１では、吸収性本体２は、図２に示すとおり、おむつ１を展開させかつ伸長させた状態において、縦方向（Ｘ方向）が相対的に長い縦長の形状を有している。吸収性本体２は、肌対向面を形成する液透過性の表面シート２１と、非肌対向面を形成する液難透過性（撥水性も含む）の裏面シート２２と、これら両シート２１，２２間に介在配置された液保持性の吸収体２３とを具備する。また、吸収性本体２の縦方向（Ｘ方向）に沿う両側部には、図２に示すように、縦方向（Ｘ方向）に伸長状態で配された弾性部材を有する防漏カフ２４，２４が設けられている。具体的には、防漏カフ２４は、液不透過性又は撥水性で且つ通気性の素材から構成されており、各防漏カフ２４の自由端部近傍には、防漏カフ形成用弾性部材２５が縦方向（Ｘ方向）に伸長した状態で配されている。おむつの着用時には、防漏カフ形成用弾性部材２５の収縮により防漏カフ２４の自由端部側が起立して、横方向（Ｙ方向）への体液の流出が阻止される。
【００２０】
以上のように構成された吸収性本体２は、図２に示すように、その縦方向（Ｘ方向）を、展開かつ伸長状態におけるおむつ１の縦方向（Ｘ方向）に一致させて、外装体３の中央部に、本体固定用接着剤によって接合されている。このように、外装体３は、使い捨ておむつ１の厚み方向における、吸収性本体２を構成する裏面シート２２の非肌対向面側に配されて接着固定されている。従って、おむつ１では、吸収性本体２を構成する吸収体２３が、腹側領域Ａと背側領域Ｂとに亘って配されている。
【００２１】
外装体３は、吸収体２３の縦方向Ｘの前後端部２３Ａ，２３Ｂそれぞれから外方に位置して横方向Ｙに延びる腹側ウエストフラップＦＡ及び背側ウエストフラップＦＢを有している。おむつ１では、図２，図３に示すように、背側ウエストフラップＦＢのみならず、腹側ウエストフラップＦＡも、肌対向面側に位置する内層シート６と非肌対向面側に位置する外層シート４とが分散配置された複数の接合部８で接合されて形成されている。また、おむつ１では、背側ウエストフラップＦＢ及び腹側ウエストフラップＦＡの内層シート６の肌対向面側に、肌側シート５が配されている。
【００２２】
好適に、おむつ１では、外装体３は、図２，図３に示すように、おむつ１の外面を形成する非肌対向面側の外層シート４、最も肌対向面側の肌側シート５、外層シート４と肌側シート５との間に配された内層シート６を有している。おむつ１では、腹側領域Ａ及び背側領域Ｂそれぞれにおける外層シート４を構成するシート材が、ウエスト開口部ＷＯの周縁部に沿って内層シート６の肌対向面側に折り返されており、その折り返し部分４Ｒが、吸収性本体２を構成する吸収体２３の縦方向（Ｘ方向）の前後端部２３Ａ，２３Ｂを覆っている。外層シート４、肌側シート５及び内層シート６は、それぞれ、別体のシートであってもよいが、おむつ１では、肌側シート５が、外層シート４の折り返し部分４Ｒで形成されている。おむつ１では、折り返し部分４Ｒを除く外層シート４及び内層シート６は、図２に示すように、縦方向（Ｘ方向）中央部において縦中心線ＣＬ１に向かって内方に括れており、互いに同形同大に形成されている。外層シート４の折り返し部分４Ｒで形成された肌側シート５は、横方向（Ｙ方向）に長い矩形状に形成されている。
【００２３】
おむつ１では、外装体３は、外層シート４と内層シート６との間、或いは、肌側シート５と内層シート６との間に、横方向（Ｙ方向）に伸長した状態で、縦方向（Ｘ方向）に間欠的に配された複数の弾性部材７１を有しており、図２に示す実施形態では、外層シート４と内層シート６との間に複数の弾性部材７１を有している。おむつ１では、複数の弾性部材７１を備えることにより、ウエスト伸縮部Ｇ１及び胴回り下部伸縮部Ｇ２を形成している。また、おむつ１では、外層シート４と内層シート６との間に、図２に示すように、伸長した状態の複数のレッグ弾性部材７２を有している。おむつ１では、複数のレッグ弾性部材７２を備えることにより、レッグ伸縮部Ｇ３を形成している。
【００２４】
おむつ１では、ウエスト伸縮部Ｇ１は、図２に示すように、縦方向（Ｘ方向）において、吸収性本体２を構成する吸収体２３の縦方向（Ｘ方向）の前後端部２３Ａ，２３Ｂの端縁よりも縦方向Ｘの外方（横中心線ＣＬ２側と反対側）に位置するエンドフラップに形成されている。また、おむつ１では、胴回り下部伸縮部Ｇ２は、縦方向（Ｘ方向）において、ウエスト伸縮部Ｇ１の横中心線ＣＬ２側の下端とサイドシール部Ｓの下端との間に位置するサイドフラップに形成されている。上述した背側ウエストフラップＦＢ及び腹側ウエストフラップＦＡは、前記エンドフラップ（ウエスト伸縮部Ｇ１）に、前記サイドフラップ（胴回り下部伸縮部Ｇ２）の一部を合わせた領域でもある。また、おむつ１では、レッグ伸縮部Ｇ３は、図２に示すように、レッグ開口部ＬＯの周縁部に形成されている。
【００２５】
外装体３は、おむつ１では、図２に示すように、外層シート４及び内層シート６を接合する複数の接合部８を有している。おむつ１では、背側ウエストフラップＦＢ及び腹側ウエストフラップＦＡは、外層シート４と内層シート６とが、散点状に配置された複数の熱融着による接合部８にて接合固定されて形成されている。
【００２６】
好適に、おむつ１では、図２に示すように、腹側領域Ａ及び背側領域Ｂそれぞれのウエスト伸縮部Ｇ１から胴回り下部伸縮部Ｇ２に亘る領域に、外層シート４と内層シート６とが熱融着した接合部８が、縦方向（Ｘ方向）に沿って一列をなすように間欠的に配されており、その複数の接合部８からなる接合部列８Ｌが、横方向（Ｙ方向）に間隔を開けて複数列配されている。
【００２７】
接合部８は、外層シート４と内層シート６とを重ね合わせ、重ね合わせた部分に、熱エンボス加工を施すことにより、溶融固化して形成されている。熱エンボス装置としては、エンボスロールとアンビルロールとを備え、そのエンボスロールの外周面に、接合部８に対応する形状の凸部を有するものを用いることができる。接合部８を形成する加工として、熱エンボス加工に代えて、超音波シール、レーザー等を採用することもできる。
【００２８】
おむつ１では、縦方向(Ｘ方向)に延びる接合部列８Ｌを構成する縦方向(Ｘ方向)に隣り合う接合部８，８どうしの間隔は、汗の拡散性向上の観点から、１ｍｍ以上であることが好ましく、３ｍｍ以上であることがより好ましく、そして、２０ｍｍ以下であることが好ましく、１８ｍｍ以下であることがより好ましく、具体的には、１ｍｍ以上２０ｍｍ以下であることがより好ましく、３ｍｍ以上１８ｍｍ以下であることがより好ましい。
また、横方向(Ｙ方向)に隣り合う接合部列８Ｌ，８Ｌどうしの間隔は、吸収した汗の蒸発性向上の観点から、４ｍｍ以上であることが好ましく、６ｍｍ以上であることがより好ましく、そして、２０ｍｍ以下であることが好ましく、１６ｍｍ以下であることがより好ましく、具体的には、４ｍｍ以上２０ｍｍ以下であることがより好ましく、６ｍｍ以上１６ｍｍ以下であることがより好ましい。
【００２９】
おむつ１では、図２に示すように、腹側領域Ａ及び背側領域Ｂそれぞれのウエスト伸縮部Ｇ１から胴回り下部伸縮部Ｇ２に亘る領域に、複数本の弾性部材７１が、それぞれ、複数の接合部列８Ｌそれぞれの接合部８どうし間の隙間を通って、横方向（Ｙ方向）に伸長状態で配されている。このように、おむつ１では、接合部８で固定された外層シート４と内層シート６との間に、弾性部材７１が配されている。
【００３０】
また、おむつ１では、図２に示すように、外装体３の腹側領域Ａの両側縁部３ａ１，３ａ１及び外装体３の背側領域Ｂの両側縁部３ｂ１，３ｂ１に、外層シート４と内層シート６とが弾性部材固定用接着剤を介して接合された一対の外側固定領域３Ｔ１，３Ｔ１を有しており、また、吸収性本体２の縦方向（Ｘ方向）に沿う両側部の近傍に、外層シート４と内層シート６とが弾性部材固定用接着剤を介して接合された一対の本体側固定領域３Ｔ２，３Ｔ２を有している。
【００３１】
おむつ１のウエスト伸縮部Ｇ１では、複数本の弾性部材７１が、一対の外側固定領域３Ｔ１，３Ｔ１間に亘って配されており、それらの弾性部材７１は、一対の外側固定領域３Ｔ１，３Ｔ１それぞれにおいて、外層シート４と内層シート６との間に固定されている一方、一対の外側固定領域３Ｔ１，３Ｔ１間においては、外層シート４及び内層シート６の何れにも固定されていない。
また、おむつ１の胴回り下部伸縮部Ｇ２では、複数本の弾性部材７１が、外側固定領域３Ｔ１と本体側固定領域３Ｔ２との間に亘って配されており、それらの弾性部材７１は、外側固定領域３Ｔ１と本体側固定領域３Ｔ２とのそれぞれにおいて、外層シート４と内層シート６との間に固定されている一方、外側固定領域３Ｔ１と本体側固定領域３Ｔ２との間においては、外層シート４及び内層シート６の何れにも固定されていない。おむつ１の胴回り下部伸縮部Ｇ２では、一対の本体側固定領域３Ｔ２，３Ｔ２の間に、弾性部材７１が配されていないか、或いは、弾性部材７１が、弾性伸縮性を発現しないように細かく分断される等の処理を施された状態で配されている。
【００３２】
尚、おむつ１のレッグ伸縮部Ｇ３では、レッグ開口部ＬＯの周縁部に伸長状態で配された複数のレッグ弾性部材７２が、レッグ開口部ＬＯの周縁部に面状に配された弾性部材固定用接着剤を介して外層シート４と内層シート６との間に固定されている。
【００３３】
また、おむつ１の外装体３は、図３に示すように、肌側シート５及び内層シート６が接着剤９を介して固定されている。また、おむつ１では、接着剤９が、接合部８及び該接合部８の周囲部８Ｒには配されていない。好適には、おむつ１では、接着剤９が、接合部８及び該接合部８の周囲部８Ｒを除く、内層シート６の肌対向面又は肌側シート５の非肌対向面に配されており、接着剤９を介して肌側シート５及び内層シート６が固定されている。ここで、接合部８の周囲部８Ｒとは、接合部８の輪郭である外周縁と、該外周縁から０．５ｍｍ離れた位置との間の領域を示す。
【００３４】
おむつ１の外装体３では、ウエスト伸縮部Ｇ１及び胴回り下部伸縮部Ｇ２において、図４に示すように、外層シート４と内層シート６との間に横方向(Ｙ方向)に伸長状態で配された弾性部材７１が収縮することにより、横方向(Ｙ方向)に隣接する接合部列８Ｌ，８Ｌどうしの間の外層シート４が外方に膨らむように変形し、且つ、接着剤９を介して固定された肌側シート５及び内層シート６が外方に膨らむように変形する。そして、隣接する接合部列８Ｌ，８Ｌどうしの間に、外層シート４又は肌側シート５及び内層シート６からなる襞３Ｆが生じると共に、外層シート４と、肌側シート５及び内層シート６との間には、襞３Ｆと襞３Ｆとに周囲を囲まれた中空部３Ｈが形成される。
【００３５】
おむつ１では、外装体３を構成する外層シート４が、親水性の繊維で構成された親水性の不織布であり、内層シート６が、疎水性の繊維で構成された疎水性の不織布である。上述したように、おむつ１では、肌側シート５が外層シート４の折り返し部分４Ｒで形成されているので、折り返し部分４Ｒ（肌側シート５）を含む外層シート４の全体が親水性の不織布で形成されており、外層シート４とは別体の内層シート６が疎水性の不織布で構成されている。
【００３６】
外層シート４（肌側シート５を含む）に用いる親水性の不織布を構成する親水性繊維としては、合成繊維を親水化したものが挙げられ、具体的には、疎水性合成繊維を親水化剤で処理したもの、疎水性合成繊維の製造時に、該繊維に親水化剤を練り込んだものが挙げられる。また、本来的に親水性を有する繊維、例えば天然系や半天然系の繊維を合成繊維と混合した複合不織布を用いることもできる。合成繊維には、特に限定はないが、ポリエチレン（ＰＥ）繊維、ポリプロピレン（ＰＰ）繊維等のポリオレフィン繊維；ポリエチレンテレフタレート（ＰＥＴ）、ポリアミド等の熱可塑性樹脂を単独で用いてなる繊維；芯鞘型、サイドバイサイド型等の構造の複合繊維が挙げられる。合成繊維の親水化に用いられる親水化剤は、衛生品用途に使用される一般的な親水化剤であれば特に限定されない。親水性を有する繊維には、具体的には、例えば、木材パルプや木綿パルプ、ワラパルプ等の非木材パルプ等の天然セルロース繊維；レーヨン、キュプラ等の再生セルロース繊維が挙げられる。
【００３７】
内層シート６に用いる疎水性の不織布を構成する疎水性繊維としては、合成繊維が挙げられ、具体的には、各種不織布の構成繊維として通常用いられているものを用いることができ、例えば、ポリエチレン（ＰＥ）繊維、ポリプロピレン（ＰＰ）繊維等のポリオレフィン繊維；ポリエチレンテレフタレート（ＰＥＴ）、ポリアミド等の熱可塑性樹脂を単独で用いてなる繊維；芯鞘型、サイドバイサイド型等の構造の複合繊維が挙げられる。
【００３８】
シートが親水性であるか疎水性であるかの判断は、以下に述べる〔接触角の測定方法〕で測定される構成繊維の接触角に基づき判断される。具体的には、接触角が９０度以上であれば、親水度の低い疎水性と判断し、接触角が９０度より小さければ、親水度の高い親水性と判断する。
【００３９】
接合部８の周囲部８Ｒでは、図３に示すように、外層シート４を構成する親水性の繊維４１どうしの隙間に内層シート６を構成する疎水性の繊維６１が入り込み、内層シート６を構成する疎水性の繊維６１どうしの隙間に外層シート４を構成する親水性の繊維が入り込んでいる。好適に、おむつ１の接合部８の周囲部８Ｒでは、外層シート４を構成する親水性の繊維４１どうしの隙間に内層シート６を構成する疎水性の繊維６１が入り込み、内層シート６を構成する疎水性の繊維６１どうしの隙間に外層シート４を構成する親水性の繊維５１が入り込んでいる。更に好適に、おむつ１の接合部８の周囲部８Ｒでは、図３に示すように、内層シート６を構成する疎水性の繊維６１どうしの隙間に外層シート４を構成する親水性の繊維４１が入り込んでおり、外層シート４を構成する親水性の繊維４１と肌側シート５を構成する親水性の繊維５１とが接している。ここで、繊維が入り込んでいるとは、図３に示すように断面視して、例えば、外層シート４の下方（肌対向面側）に位置する内層シート６を構成する疎水性の繊維６１が、外層シート４を構成する親水性の繊維４１を越えて上方（非肌対向面側）に延出している部分を有していることを意味する。また、内層シート６の上方（非肌対向面側）に位置する外層シート４を構成する親水性の繊維４１が、内層シート６を構成する疎水性の繊維６１を越えて下方（肌対向面側）に延出している部分を有していることを意味する。
【００４０】
そして、接合部８の周囲部８Ｒでは、図３に示すように、外層シート４を構成する親水性の繊維４１が内層シート６の肌対向面に達している。好適に、おむつ１では、上述したように、内層シート６の肌対向面側には、肌側シート５が配されているので、接合部８の周囲部８Ｒでは、外層シート４を構成する親水性の繊維４１と肌側シート５を構成する親水性の繊維５１とが接している。ここで、親水性の繊維４１と親水性の繊維５１とが接しているとは、少なくとも親水性の繊維４１と親水性の繊維５１とが触れる部分を有していることを意味する。
【００４１】
また、おむつ１の接合部８では、図３に示すように、外層シート４を構成する親水性の繊維４１及び内層シート６を構成する疎水性の繊維６１が押圧されてフィルム化しており、外層シート４を構成する親水性の繊維４１及び内層シート６を構成する疎水性の繊維６１どうしが熱融着により固定されている。そして、おむつ１の接合部８では、内層シート６の下方（肌対向面側）に位置する肌側シート５を構成する親水性の繊維５１が接合部８に触れる部分を有し、接している。
【００４２】
上述したおむつ１の各部の形成材料について説明する。
吸収性本体２を構成する表面シート２１、裏面シート２２、吸収体２３及び防漏カフ２４等としては、使い捨ておむつ等の吸収性物品に従来用いられている各種のもの等を特に制限なく用いることができる。例えば、表面シート２１としては、単層又は多層構造の不織布や、開孔フィルム等を用いることができる。裏面シート２２としては、透湿性の樹脂フィルム等を用いることができる。吸収体２３としては、吸収性ポリマーの粒子及び繊維材料から構成された吸収コアをティッシュペーパーによって被覆されているものを用いることができる。また、防漏カフ２４としては、撥水性の単層又は多層構造の不織布等を用いることができる。
【００４３】
弾性部材（防漏カフ形成用弾性部材２５、弾性部材７１、レッグ弾性部材７２等）としては、例えば、スチレン−ブタジエン、ブタジエン、イソプレン、ネオプレン等の合成ゴム、天然ゴム、ＥＶＡ、伸縮性ポリオレフィン、ポリウレタン等を挙げることができる。弾性部材の形態としては、断面が矩形、正方形、円形、楕円形、若しくは多角形状等の糸状（糸ゴム等）、又は紐状（平ゴム等）のもの等を好ましく用いることができる。
【００４４】
接着剤９、弾性部材（防漏カフ形成用弾性部材２５、弾性部材７１、レッグ弾性部材７２等）を固定する弾性部材固定用接着剤、及び外装体３及び吸収性本体２等を固定する本体固定用接着剤としては、使い捨ておむつ等の吸収性物品に従来用いられている各種のホットメルト接着剤等を特に制限なく用いることができる。
【００４５】
上述した本発明の一実施形態のおむつ１を使用した際の作用効果について説明する。
おむつ１は、図２及び図３に示すように、少なくとも背側ウエストフラップＦＢにおいて、接合部８の周囲部８Ｒでは、外層シート４を構成する親水性の繊維４１どうしの隙間に内層シート６を構成する疎水性の繊維６１が入り込み、内層シート６を構成する疎水性の繊維６１どうしの隙間に外層シート４を構成する親水性の繊維４１が入り込んでおり、外層シート４を構成する親水性の繊維４１が内層シート６の肌対向面に達している。その為、おむつ１の着用中に、着用者の汗が、内層シート６の肌対向面に達している外層シート４を構成する親水性の繊維４１によって非肌対向面側の親水性の外層シート４に移行し易い。そして、外層シート４に移行した着用者の汗は、疎水性の内層シート６で隔てられているので、再び親水性の肌側シート５や肌に戻り難くなっている。このように、非肌対向面側の外層シート４に移行した着用者の汗が肌に触れ難いので、湿疹、汗疹、かぶれ等の皮膚トラブルを低減することができる。
【００４６】
また、おむつ１では、図３に示すように、背側ウエストフラップＦＢ及び腹側ウエストフラップＦＡの内層シート６の肌対向面側に、親水性の繊維５１で構成された親水性の肌側シート５が配されている。そして、接合部８の周囲部８Ｒでは、外層シート４を構成する親水性の繊維４１どうしの隙間に内層シート６を構成する疎水性の繊維６１が入り込み、内層シート６を構成する疎水性の繊維６１どうしの隙間に外層シート４を構成する親水性の繊維４１が入り込んでおり、外層シート４を構成する親水性の繊維４１と肌側シート５を構成する親水性の繊維５１とが接している。その為、おむつ１の着用中に、着用者の汗が、親水性の肌側シート５に吸収され、接合部８の周囲部８Ｒにて肌側シート５に接している外層シート４の親水性の繊維４１によって、着用者の汗が非肌対向面側の親水性の外層シート４に移行し易い。そして、外層シート４に移行した着用者の汗は、疎水性の内層シート６で隔てられているので、再び親水性の肌側シート５に戻り難くなっている。このように、非肌対向面側の外層シート４に移行した着用者の汗が肌に触れ難いので、湿疹、汗疹、かぶれ等の皮膚トラブルを低減することができる。
【００４７】
また、おむつ１では、図２に示すように、腹側領域Ａ及び背側領域Ｂそれぞれのウエスト伸縮部Ｇ１から胴回り下部伸縮部Ｇ２に亘る領域に、複数本の弾性部材７１が、それぞれ、複数の接合部列８Ｌそれぞれの接合部８どうし間の隙間を通って、横方向（Ｙ方向）に伸長状態で配されている。そして、図４に示すように、伸長状態で配された弾性部材７１が収縮することにより、隣接する接合部列８Ｌ，８Ｌどうしの間に、外層シート４又は肌側シート５及び内層シート６からなる襞３Ｆが生じると共に、外層シート４と、肌側シート５及び内層シート６との間に、襞３Ｆと襞３Ｆとに周囲を囲まれた中空部３Ｈが形成されるようになる。その為、外層シート４に移行した着用者の汗の蒸発性が向上する。また、非肌対向面側の外層シート４に移行した着用者の汗が、中空部３Ｈによって更に肌に触れ難いので、湿疹、汗疹、かぶれ等の皮膚トラブルを更に低減することができる。
【００４８】
着用者の汗が非肌対向面側の親水性の外層シート４に移行し易い効果を一層奏する観点から、接合部８は、その一つ一つの面積が、０．５ｍｍ2以上であることが好ましく、０．７５ｍｍ2以上であることが更に好ましく、そして、５ｍｍ2以下であることが好ましく、４ｍｍ2以下であることが更に好ましく、具体的には、０．５ｍｍ2以上５ｍｍ2以下であることが好ましく、０．７５ｍｍ2以上４ｍｍ2以下であることが更に好ましい。
【００４９】
また、上述した効果を一層奏する観点から、接合部８は、その一つ一つの周囲の長さが、２ｍｍ以上であることが好ましく、３ｍｍ以上であることが更に好ましく、そして、２０ｍｍ以下であることが好ましく、１５ｍｍ以下であることが更に好ましく、具体的には、２ｍｍ以上２０ｍｍ以下であることが好ましく、３ｍｍ以上１５ｍｍ以下であることが更に好ましい。
【００５０】
着用者の汗を効率的に非肌対向面側の親水性の外層シート４に移行する効果を一層奏する観点から、接合部８が存在する接合領域（接合部８の周囲部８Ｒ）における接合部８が占める面積は、１％以上であることが好ましく、３％以上であることが更に好ましく、そして、１５％以下であることが好ましく、１０％以下であることが更に好ましく、具体的には、１％以上１５％以下であることが好ましく、３％以上１０％以下であることが更に好ましい。
【００５１】
内層シート６という隔たりを設けることで、非肌対向面側の外層シート４に移行した着用者の汗が、肌へ汗戻りしにくく、また、汗を吸収したシートが肌に貼りつかない効果を一層奏する観点から、内層シート６は、その坪量が、１０ｇ／ｍ2以上であることが好ましく、１５ｇ／ｍ2以上であることが更に好ましく、そして、３０ｇ／ｍ2以下であることが好ましく、２０ｇ／ｍ2以下であることが更に好ましく、具体的には、１０ｇ／ｍ2以上３０ｇ／ｍ2以下であることが好ましく、１５ｇ／ｍ2以上２０ｇ／ｍ2以下であることが更に好ましい。
同様の観点から、内層シート６は、その厚みが、接合部８及び接合部８の周囲部８Ｒを除く部分において、接合部８及び接合部８の周囲部８Ｒよりも厚く、０．１１ｍｍ以上であることが好ましく、０．１２ｍｍ以上であることが更に好ましく、そして、０．４ｍｍ以下であることが好ましく、０．３５ｍｍ以下であることが更に好ましく、具体的には、０．１１ｍｍ以上０．４ｍｍ以下であることが好ましく、０．１２ｍｍ以上０．３５ｍｍ以下であることが更に好ましい。内層シート６の厚みの測定は、内層シート６に０．０５ｋＰａの荷重を加えた状態で、厚み測定器を用いて測定する。厚み測定器にはオムロン社製のレーザー変位計を用いる。厚み測定は、１０点測定し、それらの平均値を算出して厚みとする。
【００５２】
非肌対向面側でより大量の汗を吸汗し肌に接する汗の量を減らす観点から外層シート４は、その坪量が、１０ｇ／ｍ2以上であることが好ましく、１３ｇ／ｍ2以上であることが更に好ましく、そして、３０ｇ／ｍ2以下であることが好ましく、２５ｇ／ｍ2以下であることが更に好ましく、具体的には、１０ｇ／ｍ2以上３０ｇ／ｍ2以下であることが好ましく、１３ｇ／ｍ2以上２５ｇ／ｍ2以下であることが更に好ましい。
肌側シート５が外層シート４と別体の場合、肌側シート５は、肌側シート自体で汗を保持しないで肌に接する汗の量を減らし肌トラブルを軽減する観点から、その坪量が、外層シート４の坪量よりも小さい方が好ましく、詳述すると、８ｇ／ｍ2以上であることが好ましく、１０ｇ／ｍ2以上であることが更に好ましく、そして、２５ｇ／ｍ2以下であることが好ましく、２０ｇ／ｍ2以下であることが更に好ましく、具体的には、８ｇ／ｍ2以上２５ｇ／ｍ2以下であることが好ましく、１０ｇ／ｍ2以上２０ｇ／ｍ2以下であることが更に好ましい。
外側シート４、肌側シート５及び内側シート６の坪量は、測定可能なシートの面積とその重量から測定することができる。その際の測定では、２３±２℃、相対湿度５０±５％で行い、測定の前に試料を同環境で２４時間以上保存した上で測定する。
【００５３】
また、外層シートの毛管力を肌側シートの毛管力よりも高めることで肌側シート５から外層シート４に汗が移行し易い観点から、接合部８及び接合部８の周囲部８Ｒを除く部分において、外層シート４は、その繊維間距離が肌側シート５の繊維間距離よりも小さいことが好ましく、詳述すると、１５０μｍ以下であることが好ましく、７０μｍ以下であることが更に好ましい。外層シート４の繊維間距離の下限特に制限はないが、５μｍ以上であれば十分に満足すべき効果が得られる。
肌側シート５は、その繊維間距離が、外層シート４の繊維間距離より大きいことが好ましく、２５０μｍ以下であることが好ましく、１５０μｍ以下であることが更に好ましく、そして、３０μｍ以上であることが好ましく、４０μｍ以上であることが更に好ましく、具体的には、３０μｍ以上２５０μｍ以下であることが好ましく、４０μｍ以上１５０μｍ以下であることが更に好ましい。
外側シート４、肌側シート５及び内側シート６の繊維間距離は、下記の方法により測定する。
【００５４】
〔繊維間距離の測定方法〕
下記式（１）により求めることができる。
【数１】
0006411323.tif 000002
【００５５】
さらに、外層シートの親水性を肌側シートの親水性よりも高めることで肌側シート５から外層シート４に汗が移行し易い観点から、外層シート４を構成する親水性の繊維４１とイオン交換水との接触角は、肌側シート５を構成する親水性の繊維５１とイオン交換水との接触角よりも小さいことが好ましい。詳述すると、外層シート４を構成する親水性の繊維４１は、イオン交換水との接触角が、８０°以下であることが好ましく、７６°以下であることが更に好ましい。該親水性の繊維４１の接触角の下限に特に制限はないが、４０°以上であれば十分に満足すべき効果が得られる。
また、肌側シート５を構成する親水性の繊維５１は、イオン交換水との接触角が、６８°以上であることが好ましく、７０°以上であることが更に好ましく、そして、８８°以下であることが好ましく、８５°以下であることが更に好ましく、具体的には、６８°以上８８°以下であることが好ましく、７０°以上８５°以下であることが更に好ましい。
外層シート４を構成する親水性の繊維４１又は肌側シート５を構成する親水性の繊維５１と、イオン交換水との接触角は、下記の方法により測定する。下記の方法により測定する接触角は、その値が小さくなれば、親水性が高くなることを意味する。
【００５６】
〔接触角の測定方法〕
接触角の測定には、例えば協和界面科学株式会社製の接触角計ＭＣＡ−Ｊを用いる。具体的には、外層シート４を構成する親水性の繊維４１の表面に、イオン交換水を滴下（約２０ピコリットル）した後、直ちに前記接触角計を用いて接触角度の測定を行う。測定は、外層シート４を構成する親水性の繊維４１の５箇所以上の箇所で行い、それらの平均値を接触角とする。肌側シート５を構成する親水性の繊維５１についても同様に測定する。尚、測定環境温度は２２℃とする。
【００５７】
さらにまた、上述した効果を一層奏すると共に、更に親水性の肌側シート５で吸収した着用者の汗を非肌対向面側の親水性の外層シート４に更に移行し易くする観点から、外層シート４のクレム吸水高さは、肌側シート５のクレム吸水高さよりも大きいことが好ましい。詳述すると、外層シート４は、ＪＩＳ  Ｐ  ８１４１に準じて測定された３０ｍｍ幅のクレム吸水高さが、６０秒で２０ｍｍ以上であることが好ましく、６０秒で２５ｍｍ以上であることが更に好ましい。外層シート４のクレム吸水高さの上限に特に制限はないが、６０秒で６０ｍｍ以下であれば十分に満足すべき効果が得られる。
また、肌側シート５は、ＪＩＳ  Ｐ  ８１４１に準じて測定された３０ｍｍ幅のクレム吸水高さが、６０秒で１ｍｍ以上であることが好ましく、６０秒で１０ｍｍ以上であることが更に好ましい。肌側シート５のクレム吸水高さの上限に特に制限はないが、６０秒で３０ｍｍ以下であれば十分に満足すべき効果が得られる。
外層シート４又は肌側シート５のクレム吸水高さは、下記の方法により測定する。
【００５８】
〔クレム吸水高さの測定方法〕
パンツ型使い捨ておむつの外装体から、外層シート４及び肌側シート５を取り出す際に、外層シート４、肌側シート５及び内層シート６が、熱融着又は接着剤により固定されている場合には、該固定された部分を、溶剤又はドライヤー等による熱風により溶融等して取り除き、外層シート４及び肌側シート５を別々に取り出す。取り出した外層シート４及び肌側シート５それぞれをサンプルとして、ＪＩＳ  Ｐ  ８１４１の試験方法に準じてクレム吸水高さを測定する。具体的には、取り出した外層シート４を、幅（おむつ１の縦方向(Ｘ方向)の長さ）３０ｍｍ、長さ（おむつ１の横方向(Ｙ方向)の長さ）１５０ｍｍにカットする。カットに際しては、押し切りカッターなど、サンプルを押しつぶす可能性のある切断方法は、結果に影響を及ぼす可能性が高く好ましくない。そのため、カットに際しては、ナイフ、カッター、剃刀等を用いてサンプルの切断面が潰れないようにカットする。次に、ＪＩＳ  Ｐ  ８１４１に規定する冶具にカット後のサンプルをセットし、試験液に水を用いて、６０秒後のクレム吸水高さを測定する。吸い上げ高さの判別を容易にするため、青色１号やメチレンブルー等の染料で試験液を適宜着色してもよい。以上の測定を５回行い、その平均値を、外層シート４のクレム吸水高さとする。肌側シート５のクレム吸水高さについても同様に測定する。尚、測定環境温度は２２℃とする。
【００５９】
以上、本発明をその好ましい実施形態に基づき説明したが、本発明は上述した実施形態に制限されず適宜変更可能である。
例えば、上述したおむつ１は、外装体３を構成する肌側シート５は、図２に示すように、１枚の外層シート４の折り返し部分４Ｒで形成されているが、外層シート４とは別体の親水性の不織布であってもよく、肌側シート５がなく内層シート６が直接肌に接してもよい。肌側シート５がない場合には、外層シート４を構成する親水性の繊維４１が、内層シート６を構成する疎水性の繊維６１を越えて下方（肌対向面側）に延出していることで、汗をかいたおむつ着用者の肌から親水性の繊維４１が、直接汗を吸い外側シートへ汗を移行させることができる。
【００６０】
また、おむつ１の外装体３では、図３に示すように、外層シート４と内層シート６とが複数の熱融着による接合部８により接合固定され、肌側シート５と内層シート６とが接着剤９を介して固定されているが、接着剤９を配さずに、接合部８により、外層シート４、内層シート６及び肌側シート５が全て接合固定されていてもよい。外層シート４、内層シート６及び肌側シート５が、全て、分散配置された複数の接合部８で接合されている場合、接合部８の周囲部８Ｒでは、外層シート４を構成する親水性の繊維４１どうしの隙間に内層シート６を構成する疎水性の繊維６１が入り込み、内層シート６を構成する疎水性の繊維６１どうしの隙間に外層シート４を構成する親水性の繊維４１が入り込むようになる。更に、接合部８の周囲部８Ｒでは、肌側シート５を構成する親水性の繊維５１どうしの隙間に内層シート６を構成する疎水性の繊維６１が入り込み、内層シート６を構成する疎水性の繊維６１どうしの隙間に肌側シート５を構成する親水性の繊維５１が入り込むようになる。そして、外層シート４を構成する親水性の繊維４１と肌側シート５を構成する親水性の繊維５１とが接するようになる。その為、上述したおむつ１と同様の効果を奏するようになる。親水性の繊維４１と親水性の繊維５１とが接しているとは、少なくとも親水性の繊維４１と親水性の繊維５１とが触れる部分を有していればよいが、内層シート６を介して内層シート６の上方（非肌対向面側）に位置する外層シート４を構成する親水性の繊維４１が、内層シート６を介して内層シート６の下方（肌対向面側）に位置する肌側シート５を構成する親水性の繊維５１を越えて下方（肌対向面側）に延出している部分を有していることが好ましい。そして、内層シート６を介して内層シート６の下方（肌対向面側）に位置する肌側シート５を構成する親水性の繊維５１が、内層シート６を介して内層シート６の上方（非肌対向面側）に位置する外層シート４を構成する親水性の繊維４１を越えて上方（非肌対向面側）に延出している部分を有していることが好ましい。
【００６１】
また、本発明におけるおむつでは、接合部８の周囲部８Ｒで、外層シート４を構成する親水性の繊維４１が内層シート６を構成する疎水性の繊維６１を越えて下方（肌対向面側）に延出していることにより着用者が汗をかいた時に外層シート４を構成する親水性の繊維４１によって外層シート４に移行し易い効果を奏する。このため、接合部８の周囲部８Ｒが単位面積あたりに多く存在することでより一層効果を奏する。
【００６２】
また、おむつ１の外装体３では、図３に示すように、外層シート４と内層シート６とが複数の熱融着による接合部８により接合固定され、肌側シート５と内層シート６とが接着剤９を介して固定されているが、図５に示すように、外層シート４と内層シート６とが複数の接合部８Ｂにより接合固定され、内層シート４と肌側シート６とが接着剤９を介して固定されていてもよい。ここで、接合部８Ｂの中心部には、外層シート４及び内層シート６を貫通する貫通孔８Ｐが形成されている。このように貫通孔８Ｐが形成されているので、接合部８Ｂにおいては、貫通孔８Ｐの外周縁部で外層シート４と内層シート６とが接合されている。貫通孔８Ｐが形成されている接合部８Ｂは、上述した接合部８と同様に、外層シート４と内層シート６とを重ね合わせた部分に、熱エンボス加工を施すことにより形成できるが、上述した接合部８を形成する場合に比べて、エンボス温度を上げたり、エンボス時間を長くしたりして形成する。また、貫通孔８Ｐが形成されている接合部８Ｂを、超音波シール、レーザー等を採用して形成する場合には、上述した接合部８を形成する場合に比べて、出力を上げたり、溶融時間を長くしたりして形成する。
【００６３】
着用者の汗を効率的に非肌対向面側の親水性の外層シート４に移行する効果を一層奏する観点から、接合部８Ｂ内の外層シート４および内層シート６を貫通する貫通孔８Ｐは、接合部８Ｂ内に１個形成されていることが好ましく、その面積が、０．４５ｍｍ2以上４．９５ｍｍ2以下であることが好ましく、０．７ｍｍ2以上３．９５ｍｍ2以下であることが更に好ましい。
【００６４】
図５に示す貫通孔８Ｐが形成されている接合部８Ｂを有する外装体３は、接合部８の周囲部８Ｒでは、外層シート４を構成する親水性の繊維４１どうしの隙間に内層シート６を構成する疎水性の繊維６１が入り込み、内層シート６を構成する疎水性の繊維６１どうしの隙間に外層シート４を構成する親水性の繊維４１が入り込んでいる。そして、接合部８の周囲部８Ｒでは、外層シート４を構成する親水性の繊維４１と肌側シート５を構成する親水性の繊維５１とが接している。その為、図５に示す貫通孔８Ｐが形成されている接合部８Ｂを有する外装体３を備えるおむつは、上述したおむつ１と同様の効果を奏するとともに、通気性を向上することができる。
【００６５】
図５に示す貫通孔８Ｐが形成されている接合部８Ｂを有する外装体３では、外層シート４と内層シート６とが複数の熱融着による貫通孔８Ｐが形成されている接合部８Ｂにより接合固定され、肌側シート５と内層シート６とが接着剤９を介して固定されているが、接着剤９を配さずに、貫通孔８Ｐが形成されている接合部８Ｂにより、外層シート４、内層シート６及び肌側シート５が全て接合固定されていてもよい。外層シート４、内層シート６及び肌側シート５が、全て、分散配置された複数の貫通孔８Ｐが形成されている接合部８Ｂで接合されている場合、貫通孔８Ｐが形成されている接合部８Ｂの周囲部８Ｒでは、外層シート４を構成する親水性の繊維４１どうしの隙間に内層シート６を構成する疎水性の繊維６１が入り込み、内層シート６を構成する疎水性の繊維６１どうしの隙間に外層シート４を構成する親水性の繊維４１が入り込むようになる。更に、貫通孔８Ｐが形成されている接合部８Ｂの周囲部８Ｒでは、肌側シート５を構成する親水性の繊維５１どうしの隙間に内層シート６を構成する疎水性の繊維６１が入り込み、内層シート６を構成する疎水性の繊維６１どうしの隙間に肌側シート５を構成する親水性の繊維５１が入り込むようになる。そして、外層シート４を構成する親水性の繊維４１と肌側シート５を構成する親水性の繊維５１とが接するようになる。その為、上述したおむつ１と同様の効果をより奏するようになるとともに、通気性をさらに向上することができる。
【００６６】
また、おむつ１の外装体３では、図３に示すように、外層シート４と内層シート６とが複数の熱融着による接合部８により接合固定され、肌側シート５と内層シート６とが接着剤９を介して固定されているが、図６に示すように、外層シート４を構成する親水性の繊維４１と内層シート６を構成する疎水性の繊維６１とが、接合部８Ｃで絡まり合い、外層シート４と内層シート６とが複数の接合部８Ｃにより接合されていてもよい。繊維どうしの絡み合った接合部８Ｃは、例えば、ニードルパンチを用いて形成できる。接合部８Ｃの外周縁では、外層シート４を構成する親水性の繊維４１と内層シート６を構成する疎水性の繊維６１とが絡まり合っている。接合部８Ｃの外周縁及び接合部８の周囲部８Ｒでは、外層シート４を構成する親水性の繊維４１どうしの隙間に内層シート６を構成する疎水性の繊維６１が入り込み、内層シート６を構成する疎水性の繊維６１どうしの隙間に外層シート４を構成する親水性の繊維４１が入り込んでいる。そして、接合部８Ｃの外周縁及び接合部８の周囲部８Ｒでは、外層シート４を構成する親水性の繊維４１と肌側シート５を構成する親水性の繊維５１とが接している。その為、図６に示す繊維どうしの絡み合った接合部８Ｃを有する外装体３を備えるおむつは、上述したおむつ１と同様の効果を奏する。
【００６７】
図６に示す繊維どうしの絡み合った接合部８Ｃを有する外装体３では、外層シート４と内層シート６とが繊維どうしの絡まり合いによる接合部８Ｃにより接合固定され、肌側シート５と内層シート６とが接着剤９を介して固定されているが、接着剤９を配さずに、繊維どうしの絡まり合いによる接合部８Ｃにより、外層シート４、内層シート６及び肌側シート５が全て接合されていてもよい。外層シート４、内層シート６及び肌側シート５が、全て、分散配置された複数の繊維どうしの絡まり合いによる接合部８Ｃで接合されている場合、接合部８Ｃの外周縁及び接合部８Ｃの周囲部８Ｒでは、外層シート４を構成する親水性の繊維４１どうしの隙間に、内層シート６を構成する疎水性の繊維６１及び肌側シート５を構成する親水性の繊維５１が入り込み、肌側シート５を構成する親水性の繊維５１どうしの隙間に、外層シート４を構成する親水性の繊維４１及び内層シート６を構成する疎水性の繊維６１が入り込むようになっており、親水性の繊維４１、疎水性の繊維６１及び親水性の繊維５１が絡まり合っている。そして、外層シート４を構成する親水性の繊維４１と肌側シート５を構成する親水性の繊維５１とが接するようになる。その為、上述したおむつ１と同様の効果を奏するようになる。
【００６８】
また、おむつ１の外装体３では、図３に示すように、外層シート４と内層シート６とが複数の熱融着による接合部８により接合固定され、肌側シート５と内層シート６とが接着剤９を介して固定されているが、接着剤９が配されていなくてもよい。また、おむつ１の外装体３では、図２に示すように、外層シート４と内層シート６との間に弾性部材７１が配されているが、弾性部材７１が配されていなくてもよい。
【００６９】
また、上述した使い捨ておむつ１においては、図２に示すように、外装体３が腹側領域Ａ、股下領域Ｃ及び背側領域Ｂにわたる砂時計状等の連続した形状のパンツ型使い捨ておむつであるが、外装体３が、腹側外装体、背側外装体及び股下外装体に別部材として区分された分割型のパンツ型使い捨ておむつであってもよい。
【００７０】
また、上述した使い捨ておむつ１においては、図２に示すように、外装体３が外層シート４と内層シート６から構成されているが、外層シート４と内層シート６からなる積層シートあるいは、外層シート４と内層シート６と肌側シート５から成る積層シートが外装体３の少なくとも背側ウエストフラップＦＢの内側に貼りつけられていてもよい。
【００７１】
また、上述した使い捨ておむつ１においては、図１に示すように、外装体３を有するパンツ型使い捨ておむつであるが、展開型の使い捨ておむつであってもよい。液透過性の表面シートと液難透過性の裏面シートと、これらシートの間に吸収体とを有する展開型の使い捨ておむつの場合、該表面シートが非肌側シート５に該当する。そして、該吸収体の縦方向Ｘの前後端部から外方に位置して横方向Ｙに延びる腹側ウエストフラップＦＡ及び背側ウエストフラップＦＢの内の少なくとも背側ウエストフラップＦＢに、肌当接面を形成する別体の疎水性の肌側シート４を配置すればよい。
【００７２】
上述した実施形態に関し、さらに以下の使い捨ておむつを開示する。
【００７３】
＜１＞
縦方向に腹側領域および背側領域と、それらの間に位置する股下領域とを備え、前記腹側領域と前記背側領域とに亘って吸収体を有し、該吸収体の縦方向の前後端部それぞれから外方に位置して横方向に延びる腹側ウエストフラップ及び背側ウエストフラップを有する使い捨ておむつであって、少なくとも前記背側ウエストフラップは、肌対向面側に位置する内層シートと非肌対向面側に位置する外層シートとが分散配置された複数の接合部で接合されており、前記内層シートは疎水性の繊維で構成された疎水性の不織布であり、前記外層シートは親水性の繊維で構成された親水性の不織布であり、前記接合部の周囲部では、前記外層シートを構成する親水性の繊維どうしの隙間に前記内層シートを構成する疎水性の繊維が入り込み、該内層シートを構成する疎水性の繊維どうしの隙間に該外層シートを構成する親水性の繊維が入り込んでおり、該外層シートを構成する親水性の繊維が該内層シートの肌対向面に達している使い捨ておむつ。
【００７４】
＜２＞
前記内層シートの肌対向面側には、親水性の繊維で構成された親水性の不織布である肌側シートが配されており、前記接合部の前記周囲部では、前記外層シートを構成する親水性の繊維と前記肌側シートを構成する親水性の繊維とが接している前記＜１＞に記載の使い捨ておむつ。
＜３＞
前記接合部及び該接合部の周囲部を除く部分において、前記内層シートは、その厚みが０．１１ｍｍ以上である前記＜１＞又は＜２＞に記載の使い捨ておむつ。
＜４＞
前記内層シートは、その坪量が１０ｇ／ｍ2以上である前記＜１＞〜＜３＞の何れか１に記載の使い捨ておむつ。
＜５＞
前記内層シートの肌対向面側には、親水性の繊維で構成された親水性の不織布である肌側シートが配されており、前記外層シートのクレム吸水高さは、前記肌側シートのクレム吸水高さよりも大きい前記＜１＞〜＜４＞の何れか１に記載の使い捨ておむつ。
＜６＞
前記内層シートの肌対向面側には、親水性の繊維で構成された親水性の不織布である肌側シートが配されており、前記外層シートを構成する親水性の繊維とイオン交換水との接触角は、前記肌側シートを構成する親水性の繊維とイオン交換水との接触角よりも小さい前記＜１＞〜＜５＞の何れか１に記載の使い捨ておむつ。
＜７＞
前記内層シートの肌対向面側には、親水性の繊維で構成された親水性の不織布である肌側シートが配されており、前記接合部及び該接合部の周囲部を除く部分において、前記外層シートの繊維間距離は、前記肌側シートの繊維間距離よりも小さい前記＜１＞〜＜６＞の何れか１に記載の使い捨ておむつ。
＜８＞
前記外層シートと前記内層シートとの間、或いは前記肌側シートと前記内層シートとの間には、前記使い捨ておむつの横方向に伸長した状態で、該使い捨ておむつの縦方向に間欠的に配された複数の弾性部材を有している前記＜１＞〜＜７＞の何れか１に記載の使い捨ておむつ。
＜９＞
前記接合部は、該接合部一つの面積が０．５ｍｍ2以上５ｍｍ2以下である前記＜１＞〜＜８＞の何れか１に記載の使い捨ておむつ。
【００７５】
＜１０＞
前記接合部は、該接合部一つの周囲の長さが２ｍｍ以上２０ｍｍ以下である前記＜１＞〜＜９＞の何れか１に記載の使い捨ておむつ。
＜１１＞
前記接合部には、該接合部内に前記外層シートおよび前記内層シートを貫通する孔が形成されている前記＜１＞〜＜１０＞の何れか１に記載の使い捨ておむつ。
＜１２＞
縦方向に延びる接合部列を構成する縦方向に隣り合う接合部どうしの間隔は、１ｍｍ以上であることが好ましく、３ｍｍ以上であることがより好ましく、２０ｍｍ以下であることが好ましく、１８ｍｍ以下であることがより好ましい前記＜１＞〜＜１１＞の何れか１に記載の使い捨ておむつ。
＜１３＞
横方向に隣り合う接合部列どうしの間隔は、４ｍｍ以上であることが好ましく、６ｍｍ以上であることがより好ましく、２０ｍｍ以下であることが好ましく、１６ｍｍ以下であることがより好ましい前記＜１＞〜＜１２＞の何れか１に記載の使い捨ておむつ。
＜１４＞
接着剤が、前記接合部及び該接合部の周囲部には配されていない前記＜１＞〜＜１３＞の何れか１に記載の使い捨ておむつ。
＜１５＞
前記内層シートの肌対向面側には、親水性の繊維で構成された親水性の不織布である肌側シートが配されており、接着剤が、前記接合部及び該接合部の周囲部を除く、前記内層シートの肌対向面又は前記肌側シートの非肌対向面に配されており、接着剤を介して前記肌側シート及び前記内層シートが固定されている前記＜１＞〜＜１４＞の何れか１に記載の使い捨ておむつ。
＜１６＞
前記外層シートを構成する親水性の繊維及び前記内層シートを構成する疎水性の繊維が押圧されてフィルム化している前記＜１＞〜＜１５＞の何れか１に記載の使い捨ておむつ。
＜１７＞
前記内層シートの肌対向面側には、親水性の繊維で構成された親水性の不織布である肌側シートが配されており、前記接合部では、前記内層シートの肌対向面側に位置する前記肌側シートを構成する親水性の繊維が前記接合部に触れる部分を有し、接している前記＜１＞〜＜１６＞の何れか１に記載の使い捨ておむつ。
＜１８＞
前記接合部は、その一つ一つの面積が、０．５ｍｍ2以上であることが好ましく、０．７５ｍｍ2以上であることが更に好ましく、５ｍｍ2以下であることが好ましく、４ｍｍ2以下であることが更に好ましい前記＜１＞〜＜１７＞の何れか１に記載の使い捨ておむつ。
＜１９＞
前記接合部は、その一つ一つの周囲の長さが、２ｍｍ以上であることが好ましく、３ｍｍ以上であることが更に好ましく、２０ｍｍ以下であることが好ましく、１５ｍｍ以下であることが更に好ましい前記＜１＞〜＜１８＞の何れか１に記載の使い捨ておむつ。
＜２０＞
前記接合部の前記周囲部における該接合部が占める面積は、１％以上であることが好ましく、３％以上であることが更に好ましく、１５％以下であることが好ましく、１０％以下であることが更に好ましい前記＜１＞〜＜１９＞の何れか１に記載の使い捨ておむつ。
【００７６】
＜２１＞
前記接合部内に前記外層シートおよび前記内層シートを貫通する孔が形成されていることが好ましい前記＜１＞〜＜２０＞の何れか１に記載の使い捨ておむつ。
＜２２＞
前記接合部内に前記外層シートおよび前記内層シートを貫通する孔が形成されており、該孔は、前記接合部内に１個形成されていることが好ましく、その面積が、０．４５ｍｍ2以上４．９５ｍｍ2以下であることが好ましく、０．７ｍｍ2以上３．９５ｍｍ2以下であることが更に好ましい前記＜１＞〜＜２１＞の何れか１に記載の使い捨ておむつ。
＜２３＞
前記内層シートは、その坪量が、１０ｇ／ｍ2以上であることが好ましく、１５ｇ／ｍ2以上であることが更に好ましく、３０ｇ／ｍ2以下であることが好ましく、２０ｇ／ｍ2以下であることが更に好ましい前記＜１＞〜＜２２＞の何れか１に記載の使い捨ておむつ。
＜２４＞
前記内層シートは、その厚みが、前記接合部及び該接合部の前記周囲部を除く部分において、０．１１ｍｍ以上であることが好ましく、０．１２ｍｍ以上であることが更に好ましく、０．４ｍｍ以下であることが好ましく、０．３５ｍｍ以下であることが更に好ましい前記＜１＞〜＜２３＞の何れか１に記載の使い捨ておむつ。
＜２５＞
前記外層シートは、その坪量が、１０ｇ／ｍ2以上であることが好ましく、１３ｇ／ｍ2以上であることが更に好ましく、３０ｇ／ｍ2以下であることが好ましく、２５ｇ／ｍ2以下であることが更に好ましい前記＜１＞〜＜２４＞の何れか１に記載の使い捨ておむつ。
＜２６＞
前記内層シートの肌対向面側には、親水性の繊維で構成された親水性の不織布である肌側シートが配されており、前記外層シートは、その繊維間距離が前記肌側シートの繊維間距離よりも小さいことが好ましく、１５０μｍ以下であることが好ましく、７０μｍ以下であることが更に好ましい前記＜１＞〜＜２５＞の何れか１に記載の使い捨ておむつ。
＜２７＞
前記肌側シートは、その繊維間距離が、前記外層シートの繊維間距離より大きいことが好ましく、２５０μｍ以下であることが好ましく、１５０μｍ以下であることが更に好ましく、３０μｍ以上であることが好ましく、４０μｍ以上であることが更に好ましい前記＜１＞〜＜２６＞の何れか１に記載の使い捨ておむつ。
＜２８＞
前記外層シートを構成する親水性の繊維は、イオン交換水との接触角が、８０°以下であることが好ましく、７６°以下であることが更に好ましい前記＜１＞〜＜２７＞の何れか１に記載の使い捨ておむつ。
＜２９＞
前記内層シートの肌対向面側には、親水性の繊維で構成された親水性の不織布である肌側シートが配されており、前記肌側シートを構成する親水性の繊維は、イオン交換水との接触角が、６８°以上であることが好ましく、７０°以上であることが更に好ましく、８８°以下であることが好ましく、８５°以下であることが更に好ましい前記＜１＞〜＜２８＞の何れか１に記載の使い捨ておむつ。
＜３０＞
前記外層シートは、ＪＩＳ  Ｐ  ８１４１に準じて測定された３０ｍｍ幅のクレム吸水高さが、６０秒で２０ｍｍ以上であることが好ましく、６０秒で２５ｍｍ以上であることが更に好ましい前記＜１＞〜＜２９＞の何れか１に記載の使い捨ておむつ。
【００７７】
＜３１＞
前記内層シートの肌対向面側には、親水性の繊維で構成された親水性の不織布である肌側シートが配されており、前記肌側シートは、ＪＩＳ  Ｐ  ８１４１に準じて測定された３０ｍｍ幅のクレム吸水高さが、６０秒で１ｍｍ以上であることが好ましく、６０秒で１０ｍｍ以上であることが更に好ましい前記＜１＞〜＜３０＞の何れか１に記載の使い捨ておむつ。
＜３２＞
前記背側ウエストフラップのみならず、前記腹側ウエストフラップも、肌対向面側に位置する前記内層シートと非肌対向面側に位置する前記外層シートとが分散配置された複数の前記接合部で接合されて形成されている前記＜１＞〜＜３１＞の何れか１に記載の使い捨ておむつ。
＜３３＞
前記内層シートの肌対向面側には、親水性の繊維で構成された親水性の不織布である肌側シートが配されており、該肌側シートが、前記外層シートの折り返し部分で形成されている前記＜１＞〜＜３２＞の何れか１に記載の使い捨ておむつ。
＜３４＞
前記接合部は、前記外層シートと前記内層シートとを重ね合わせ、重ね合わせた部分に、熱エンボス加工を施すことにより、溶融固化して形成されている前記＜１＞〜＜３３＞の何れか１に記載の使い捨ておむつ。
＜３５＞
ウエスト伸縮部では、複数本の弾性部材が、一対の外側固定領域間に亘って配されており、該弾性部材は、前記一対の外側固定領域それぞれにおいて、前記外層シートと前記内層シートとの間に固定されている一方、前記一対の外側固定領域間においては、前記外層シート及び前記内層シートの何れにも固定されていない前記＜１＞〜＜３４＞の何れか１に記載の使い捨ておむつ。
＜３６＞
前記内層シートの肌対向面側には、親水性の繊維で構成された親水性の不織布である肌側シートが配されており、隣接する前記接合部の接合部列どうしの間に、前記外層シート又は前記肌側シート及び前記内層シートからなる襞が生じると共に、前記外層シートと、前記肌側シート及び前記内層シートとの間には、前記襞と前記襞とに周囲を囲まれた中空部が形成される前記＜１＞〜＜３５＞の何れか１に記載の使い捨ておむつ。
＜３７＞
前記内層シートの肌対向面側には、親水性の繊維で構成された親水性の不織布である肌側シートが配されており、前記肌側シートが前記外層シート４と別体の場合、該肌側シートは、肌側シート自体で汗を保持しないで肌に接する汗の量を減らし肌トラブルを軽減する観点から、その坪量が、前記外層シートの坪量よりも小さい方が好ましく、８ｇ／ｍ2以上であることが好ましく、１０ｇ／ｍ2以上であることが更に好ましく、２５ｇ／ｍ2以下であることが好ましく、２０ｇ／ｍ2以下であることが更に好ましい前記＜１＞〜＜３６＞の何れか１に記載の使い捨ておむつ。
＜３８＞
前記外層シートを構成する親水性の繊維と前記内層シートを構成する疎水性の繊維とが、前記接合部で絡まり合い、前記外層シートと前記内層シートとが複数の前記接合部により接合されている前記＜１＞〜＜３７＞の何れか１に記載の使い捨ておむつ。
【００７８】
＜３９＞
前記外層シートは、前記吸収性本体の非肌当接面側に配されており、前記使い捨ておむつの外面を形成する前記＜１＞〜＜３８＞の何れか１に記載の使い捨ておむつ。
＜４０＞
前記内層シートの肌対向面側には、親水性の繊維で構成された親水性の不織布である肌側シートが配されており、前記外層シートの坪量は、前記肌側シートの坪量よりも大きい前記＜１＞〜＜３９＞の何れか１に記載の使い捨ておむつ。
＜４１＞
前記外層シートは、スパンボンド不織布あるいは、メルトブローン不織布のいずれかである前記＜１＞〜＜４０＞の何れか１に記載の使い捨ておむつ。
＜４２＞
前記内層シートの肌対向面側には、親水性の繊維で構成された親水性の不織布である肌側シートが配されており、前記弾性部材は、前記使い捨ておむつの縦方向に隣り合う前記外層シートと前記内層シートとを接合する接合部どうしの間、又は、前記外層シートと前記内層シートおよび前記肌側シートとを接合する接合部どうしの間に配されている前記＜１＞〜＜４１＞の何れか１に記載の使い捨ておむつ。
＜４３＞
前記内層シートと前記外層シートは、熱可塑性の繊維からなる不織布であり、少なくとも前記内層シートと前記外層シートを接合する前記接合部は熱融着である前記＜１＞〜＜４２＞の何れか１に記載の使い捨ておむつ。
【００７９】
＜４４＞
前記内層シートの肌対向面側には、親水性の繊維で構成された親水性の不織布である肌側シートが配されており、前記接合部で、前記外層シート、前記内層シート及び前記肌側シートが接合されており、前記接合部の前記周囲部では、前記内層シートを構成する疎水性の繊維どうしの隙間に前記外層シートを構成する親水性の繊維が入り込んでおり、かつ、前記肌側シートを構成する親水性の繊維どうしの隙間に該内層シートを構成する疎水性の繊維が入り込んでおり、該外層シートを構成する親水性の繊維と該内層シートを構成する疎水性の繊維とが、共に該肌側シートを構成する親水性の繊維と接している前記＜１＞〜＜４３＞の何れか１に記載の使い捨ておむつ。
【実施例】
【００８０】
以下、本発明のパンツ型使い捨ておむつを実施例により更に詳細に説明する。しかしながら本発明の範囲はかかる実施例によって何ら制限されるものではない。
【００８１】
〔実施例１〕
肌側シート用の不織布として、ＭＤ方向の長さ１５０ｍｍＣＤ方向の長さ３０ｍｍの矩形状の親水性のスパンボンド不織布を用意した。該肌側シート用の不織布に関し、上述した方法により、坪量、繊維間距離、接触角、クレム吸水高さを測定した。それらの結果を下記表１に示す。
また、外層シート用の不織布として、肌側シート用の不織布と同じサイズの親水性のスパンボンド不織布を用意した。該外層シート用の不織布に関し、上述した方法により、坪量、繊維間距離、接触角、クレム吸水高さを測定した。それらの結果を下記表１に示す。
また、内層シート用の不織布として、肌側シート用の不織布と同じサイズの疎水性のスパンボンド不織布を用意した。該内層シート用の不織布に関し、上述した方法により、坪量、繊維間距離、接触角、クレム吸水高さを測定した。それらの結果を下記表１に示す。
上述した、内層シート用の不織布と外層シート用の不織布とを重ね合わせ、熱エンボス装置を用いて、図３に示すように、中央部分に接合部８を形成し、内層シート用の不織布及び外層シート用の不織布を接合固定して２層構造の不織布体を作製した。次いで、肌側シート用の不織布の内層シート用の不織布との対向面における接合部８及び接合部８の周囲部８Ｒを除く部分に、接着剤を塗工して、肌側シート用の不織布と、２層構造の不織布体とを接合し、３層構造の実施例１の不織布体を作製した。作製した実施例１の不織布体は、肌側シート用の不織布、内層シート用の不織布及び外層シート用の不織布の順に重なったものである。
【００８２】
〔実施例２〕
外層シート用の不織布として、下記表１に示す坪量、繊維間距離、接触角、クレム吸水高さを有する親水性のスパンボンド不織布を用いる以外は、実施例１の不織布体と同様にして、実施例２の不織布体を作製した。
【００８３】
〔実施例３〕
肌側シート用の不織布として、下記表１に示す坪量、繊維間距離、接触角、クレム吸水高さを有する親水性のスパンボンド不織布を用いる以外は、実施例１の不織布体と同様にして、実施例３の不織布体を作製した。
【００８４】
〔比較例１〕
外層シート用の不織布として、下記表１に示す坪量、繊維間距離、接触角、クレム吸水高さを有する疎水性のスパンボンド不織布を用いる以外は、比較例１の不織布体と同様にして、比較例１の不織布体を作製した。
【００８５】
〔比較例２〕
内層シート用の不織布として、下記表１に示す坪量、繊維間距離、接触角、クレム吸水高さを有する親水性のスパンボンド不織布を用いる以外は、比較例２の不織布体と同様にして、比較例２の不織布体を作製した。
【００８６】
＜性能評価＞
実施例１〜３及び比較例１、２の不織布体に関し、下記の方法により、蒸発時間、及び肌側シート用の不織布の液拡散面積を、それぞれ測定した。それらの結果を下記表１に示す。
【００８７】
〔蒸発時間の測定方法〕
蒸発時間の測定の測定は、カトーテック株式会社製の精密迅速熱物性測定装置：ＫＥＳ−Ｆ７（サーモラボＩＩ）を用いて行った。
具体的には、室温２３℃、湿度５０％ＲＨの測定環境下で、チャンバー内に設置された熱板の上に、５０ｍｇのイオン交換水を注入し、該イオン交換水上に接合部８が配されるように、肌側シート用の不織布側を前記熱板側に向け、実施例１〜２の不織布体又は比較例１〜３の不織布体を設置する。そして、チャンバー内上方より、ファンモーターにて不織布体における外層シート用の不織布に向けて外気を吹き付け、熱量変化が平衡になるまでの時間を測定した。熱板としては、ＫＥＳ−Ｆ７（サーモラボＩＩ）のＢＴ板（面積：１０×１０ｃｍ2、温度：３３℃（人の皮膚温度を想定））を使用した。ファンモーターによる外気の吹き付け量は０．２ｍ／ｓｅｃであった。測定は３回行いその平均値を、蒸発時間とした。
【００８８】
〔液拡散面積の測定方法〕
画像解析装置を用いて、蒸発時間評価での評価後サンプルの肌側シート用の不織布における着色した水の拡散面積を測定した。測定は３回行いその平均値を、液拡散面積とした。
【００８９】
【表１】
0006411323.tif 000003
【００９０】
表１の結果によれば、実施例１〜実施例３の不織布体は、比較例１〜比較例２の不織布体に比べて、肌側シート用の不織布における液拡散面積が狭く、蒸発時間も短時間であることが分かった。従って、実施例１〜実施例２の不織布体で用いた肌側シート用の不織布、外層シート用の不織布、及び内層シート用の不織布をそれぞれ、肌側シート５、外層シート４、及び内層シート６に用いて、パンツ型使い捨ておむつを製造すれば、着用者の汗が肌側シート５で広がるより、優先的に非肌対向面側の親水性の外層シート４に移行し、素早く蒸発し皮膚トラブルの低減が期待できる。
【符号の説明】
【００９１】
１  パンツ型使い捨ておむつ
２  吸収性本体
２１  表面シート
２２  裏面シート
２３  吸収体
２４  防漏カフ
２５  防漏カフ形成用弾性部材
３  外装体
４  外層シート
４１  外層シートを構成する親水性の繊維
５  肌側シート
５１  肌側シートを構成する親水性の繊維
６  内層シート
６１  内層シートを構成する疎水性の繊維
７１  弾性部材
７２  レッグ弾性部材
８  接合部
８Ｌ  接合部列
９  接着剤
Ａ  腹側領域、Ｂ  背側領域、Ｃ  股下領域
【図１】
0006411323.tif 000004
【図２】
0006411323.tif 000005
【図３】
0006411323.tif 000006
【図４】
0006411323.tif 000007
【図５】
0006411323.tif 000008
【図６】
0006411323.tif 000009